(57)【要約】      （修正有）【課題】つまることがなくなるとともに石粒をより粉砕しやすくなる、偏心ローラー粉砕機を提供する。【解決手段】相互に隣接した位置に設けられる第一偏心ローラー１と、第二偏心ローラー２と、送り出しローラー３とからなる。前記第一偏心ローラー１と送り出しローラー３の間の隙間は進入口を構成し、前記第二偏心ローラー２と送り出しローラー３の間の隙間は排出口７を構成し、前記第一偏心ローラー１と第二偏心ローラー２と送り出しローラー３の間は、送り出しルートを構成する。第一偏心台座１２が第一回転速度で回転する時、第一筒体１１は第二回転速度で偏心回転するとともに振動が生じ、それにより前記進入口には、絶え間なく変化する第一隙間が生じる。第二偏心台座２２が第三回転速度で回転する時、第二筒体２１は第四回転速度で偏心回転するとともに振動し、それにより前記排出口７には絶え間なく変化する第二隙間が生じる。【選択図】図２
0003176954.tif 000002
【実用新案登録請求の範囲】
【請求項１】
第一偏心ローラーと、第二偏心ローラーと、送り出しローラーとからなる偏心ローラー粉砕機であって、
前記第一偏心ローラーは、第一筒体と、前記第一筒体内径に貫設される少なくとも一つの第一偏心台座とを備え、前記第一偏心台座の外径と前記第一筒体の内径の間には、少なくとも一つの第一軸受が設けられ、
前記第二偏心ローラーは、第二筒体と、前記第二筒体内径に貫設される少なくとも一つの第二偏心台座とを備え、前記第二偏心台座の外径と前記第二筒体の内径の間には、少なくとも一つの第二軸受が設けられ、
前記送り出しローラーは、前記第一偏心ローラーと第二偏心ローラーの近くに円心状に設けられ、前記第一偏心ローラーと前記送り出しローラーの間の隙間は、進入口を構成し、前記第二偏心ローラーと前記送り出しローラーの間の隙間は、排出口を構成し、前記第一偏心ローラーと第二偏心ローラーと送り出しローラーの間は送り出しルートを構成し、
前記第一偏心台座が、第一回回転速度度で回転した時、前記第一筒体は第二回回転速度度で偏心回転し、それにより、前記進入口には絶え間ない変化の第一隙間が生じ、
前記第二偏心台座が第三回回転速度度で回転した時、前記第二筒体は第四回回転速度度で偏心回転し、それにより、前記排出口には絶え間なく変化する第二隙間が生じることを特徴とする、偏心ローラー粉砕機。
【請求項２】
前記第一筒体と第二筒体の間の側辺には、石粒を導くバッフルが設けられ、前記送り出しローラーの下方には、送り出しローラーのローラー面上の石粉のくずをかきだすだめのへらが設けられることを特徴とする、請求項１に記載の偏心ローラー粉砕機。
【請求項３】
前記送り出しローラーの下方には、噴水管が設けられることを特徴とする、請求項２に記載の偏心ローラー粉砕機。
【考案の詳細な説明】
【技術分野】
【０００１】
本考案は、大きな粒径の石粒を粉砕して小さな粒径の砂粒にする粉砕機に関する。
【背景技術】
【０００２】
一般的な粉砕機は、主に、複数対のローラーを備える。各対のローラーの間には、異なる且つ固定された隙間が設けられ、進入口に最も近い隙間が最大であり、排出口に最も近い隙間が最小である。進入口から排出口までの間のその他の隙間は、順番に、大きい隙間から小さい隙間へとなっていく。以上により、粒径が大きな石粒が進入口に投入された後、二対の回転するローラーの表面で石粒を挟みこんで圧迫し粉砕して、石粒を、建築に適した、或いは、工業用の小さい粒径の砂粒にする。しかしながら、石粒は不規則な形状で且つ大きさもまちまちであり、しかも、非常に硬い材料であるため、固定された隙間の二つのローラーの間で圧迫されて粉砕された時に、石粒が滑って、粉砕された後の石粒の大きさがまちまちになる問題が生じ、その後の石粒を分類する作業が面倒になる。
【考案の概要】
【考案が解決しようとする課題】
【０００３】
本考案は、石粒を押しつぶすローラーの間の隙間を持続的に変化させることで、つまることがなくなる、偏心ローラー粉砕機を提供することを目的とする。
【０００４】
また、本考案は、ローラーが回転して研磨・押しつぶしを行う過程で、振動衝撃が生じることで、石粒をより粉砕しやすくなる、偏心ローラー粉砕機を提供することを目的とする。
【課題を解決するための手段】
【０００５】
好ましい石粒粉砕効果を達成するために、本考案の第一偏心ローラーの第一偏心台座の偏心量は６ｍｍであり、それにより、前記第一隙間が変化する範囲は２ｍｍ〜１４ｍｍである。また、第二偏心ローラーの第二偏心台座の偏心量は４ｍｍであり、それにより、前記第二隙間が変化する範囲は２ｍｍ〜１０ｍｍである。
【０００６】
本考案の第一偏心ローラーと第二偏心ローラーに良好な振動衝撃効果を与えるために、本考案は、第一偏心台座と第二偏心台座に、４００〜５００ｒｐｍの第一回転速度と第三回転速度を生じさせることにより、第一筒体と第二筒体に１０〜１５ｒｐｍの第二回転速度と第四回転速度を生じさせるとともに、振動を生じさせる。
【考案の効果】
【０００７】
大きな粒径、小さな粒径のいずれの石粒がローラー間の隙間に入ったとしても、可動な状態が保たれ、つまったりしない。さらには、小さい粒径の石粒が優先的に隙間を通過するため、大きい粒径の石粒は、在ローラーで絶え間なく研磨され、圧迫される過程で小さい粒径に粉砕され、最終的に、ローラー間の隙間を完全に通過すると、建築或いは工事用の砂にすることができる。
【図面の簡単な説明】
【０００８】
【図１】本考案の碎石機の全体の外観を示した平面図である。
【図２】本考案の碎石機の偏心ローラーと固定ローラーを相互に近づけることで、粗い顆粒の石が粉砕されている状態を示した説明図である。
【図３】本考案の碎石機の偏心ローラーと固定ローラーを相互に離して使用した状態を示した説明図である。
【図４】本考案の第一偏心ローラーと第二偏心ローラー構造を示した平面断面図である。
【図５】本考案の送り出しローラーの構造を示した平面断面図である。
【考案を実施するための形態】
【０００９】
図１から図５を参照する。本考案による偏心ローラー粉砕機は、機体上に、相互に隣接する第一偏心ローラー１と、第二偏心ローラー２と、送り出しローラー３と、を設けてなる。その内、第一偏心ローラー１は、第一筒体１１と、第一筒体１１内径に貫設される少なくとも一つの第一偏心台座１２とを備える。第一偏心台座１２の外径と、第一筒体１１の内径の間には、少なくとも一つの第一軸受１３が設けられる。本考案の好ましい実施例において、第一偏心台座１２の偏心量は６ｍｍであり、第一軸受１３は、自動調心玉軸受である。以上の構造により、駆動軸に連結された第一偏心台座１２が駆動して回転した時、それに連動して、第一ローラー１１は、非同期の回転及び振動を行う。本実施例では、第一偏心台座１２は、４００ｒｐｍ〜５００ｒｐｍの高速回転を行い、第一筒体１１は、第一軸受１３の作用を受けるため、振動すると同時に、わずか１０ｒｐｍ〜１５ｒｐｍの回回転速度度だけ生じる。
【００１０】
前記第二偏心ローラー２は、第二筒体２１と、前記第二筒体２１内径に貫設される少なくとも一つの第二偏心台座２２とを備える。前記第二偏心台座２２の外径と第二筒体２１の内径の間には、少なくとも一つの第二軸受２３が設けられる。本考案の好ましい実施例では、前記第二偏心台座２２の偏心量は４ｍｍであり、前記第二軸受２３は自動調心玉軸受である。以上の構造により、駆動軸に連結された第二偏心台座２２が駆動して回転した時、それに連動して、第二ローラー２１は、非同期の回転及び振動を行う。本実施例では、第二偏心台座２２は、４００ｒｐｍ〜５００ｒｐｍの高速回転を行い、第二筒体２１は、第二軸受２３の作用を受けるため、振動すると同時に、わずか１０ｒｐｍ〜１５ｒｐｍの回回転速度度だけ生じる。
【００１１】
本考案の送り出しローラー３は、第一偏心ローラー１と第二偏心ローラー２の近くに円心状に設けられる。それにより、第一偏心ローラー１と送り出しローラー３の間の第一隙間が進入口６を構成し、第二偏心ローラー２と送り出しローラー３の間の第二隙間が排出口７を構成し、第一偏心ローラー１と第二偏心ローラー２と送り出しローラー３の間が送り出しルートを構成する。第一筒体１１と第二筒体２１の間の側辺には、傾斜を呈するバッフル４が設けられ、バッフル４は、石粒をスムーズに排出口７を通過するように導く。送り出しローラー３の下方には、送り出しローラー３のローラー面上の石粉のくずをかきだすためのへら５が設けられる。さらには、送り出しローラー３の下方には、噴水管８が設けられる。噴水管８は、水を供給できる物体に接続され、送り出しローラー３のローラー面に対して水を吹きかけ、ローラー面に付着した石粉のくずを除去する。
【００１２】
再び、図２を参照する。本考案を用いて、石粒の粉砕作業を行う時は、まずは、粉砕機を駆動させて、第一偏心台座１２と第二偏心台座２２と送り出しローラー３を同時に回転させる。第一偏心台座１２が４００ｒｐｍ〜５００ｒｐｍの高速で回転する時、第一筒体１１は、第一軸受１３の作用を受けるため、高速振動が生じるが、振動すると同時に、わずか１０ｒｐｍ〜１５ｒｐｍの回回転速度度しか生じない。また、第一偏心台座１２の偏心量は６ｍｍであるため、進入口６の第一隙間に生じる変化は２ｍｍ〜１４ｍｍである。第二偏心台座２２が４００ｒｐｍ〜５００ｒｐｍの高速で回転する時、第二筒体２１は、第二軸受２３の作用を受けるため、高速振動を生じるが、振動すると同時に、わずか１０ｒｐｍ〜１５ｒｐｍの回回転速度度しか生じない。また、第二偏心台座２２の偏心量は４ｍｍであるため、排出口７の第二隙間に生じる変化は２ｍｍ〜１０ｍｍである。この時、大きい粒径の石粒が進入口６から投入された後、石粒は、進入口６から、絶え間なく変化する第一隙間で研磨され、押しつぶされ、粉々にされ、小さい粒径の石粒になる。この小さい粒径の石粒は、バッフル４によって導かれた後、さらに、絶え間なく変化する第二隙間の排出口７を通過して、さらに研磨され、粉々にされて５ｍｍ以下の粒径となり、建築、工事等の用途に適した砂粒となる。
【符号の説明】
【００１３】
１        第一偏心ローラー
１１      第一筒体
１２      第一偏心台座
１３      第一軸受
２        第二偏心ローラー
２１      第二筒体
２２      第二偏心台座
２３      第二軸受
３        送り出しローラー
４        バッフル
５        へら
６        進入口
７        排出口
８        噴水管
【図１】
0003176954.tif 000003
【図２】
0003176954.tif 000004
【図３】
0003176954.tif 000005
【図４】
0003176954.tif 000006
【図５】
0003176954.tif 000007